(57)【要約】【課題】便座に着座した状態のままで臀部を楽に清拭できる、もしくは臀部を衛生的に清拭できる便座装置を提供する。【解決手段】便器の上部に設けられる便座と、前記便座を移動させる駆動手段と、を備え、前記便座は、後方部から側方部に掛かる少なくともいずれかの位置において切り欠き部を有し、前記駆動手段は、前記便座を昇降移動させることを特徴とする便座装置が提供される。【選択図】図２
2009297446.tif 000002
【特許請求の範囲】
【請求項１】
便器の上部に設けられる便座と、
前記便座を移動させる駆動手段と、
を備え、
前記便座は、後方部から側方部に掛かる少なくともいずれかの位置において切り欠き部を有し、
前記駆動手段は、前記便座を昇降移動させることを特徴とする便座装置。
【請求項２】
前記切り欠き部は、前記便座の開口部の左端部と右端部との略中心部であって、且つ後方部に設けられたことを特徴とする請求項１記載の便座装置。
【請求項３】
前記切り欠き部は、前記便座の開口部の左端部と右端部との略中心部から偏心した位置であって、且つ後方部に設けられたことを特徴とする請求項１記載の便座装置。
【請求項４】
前記切り欠き部は、前記便座の側方部に設けられたことを特徴とする請求項１記載の便座装置。
【請求項５】
前記便器と、前記便座と、の間にベース部をさらに備え、
前記ベース部は、前記便座が最下降位置にあるときに前記切り欠き部を充填する突起部を有することを特徴とする請求項１〜４のいずれか１つに記載の便座装置。
【請求項６】
前記便器と、
前記便器に付設された請求項１〜５のいずれか１つに記載の便座装置と、
を備えたことを特徴とするトイレ装置。
【請求項７】
前記便器の上部に付設された臀部洗浄装置をさらに備えたことを特徴とする請求項６記載のトイレ装置。
【発明の詳細な説明】
【技術分野】
【０００１】
本発明は、便座装置及びトイレ装置に関し、具体的には便座に着座した状態のままで臀部を清拭できる便座装置及びこれを備えたトイレ装置に関する。
【背景技術】
【０００２】
便座に着座して用便を済ませた後、臀部を清拭するときには、使用者は臀部を上げて中腰体勢をとったり、便座の座面に対して略平行方向に臀部を移動させる必要がある。しかし、車いすを使用している体の不自由な障害者や足腰の弱った高齢者などにとって、臀部を上げて中腰体勢をとったり、便座の座面に対して略平行方向に臀部を移動させる動作は容易ではない。
【０００３】
これに対して、使用者が便座に着座した状態のままで臀部を清拭できる便座装置がある（例えば、特許文献１）。特許文献１に記載された便座装置は、便座に着座する使用者の尾てい骨が当たる後端部に凹部を有する便座を備えている。さらに、便座は、前端部に貫通凹部を有している。
【０００４】
しかし、便器の大きさによっては、便座の後端部に設けられた凹部の下方部に便器の縁があるおそれがあるため、手を挿入しづらいおそれがある。一方、便座の前端部に設けられた貫通凹部から手を挿入して清拭を行う場合には、陰部を汚すおそれがある。すなわち、使用者の前方から清拭動作を行うため、衛生的ではないという問題がある。
【０００５】
また、便座を前方にスライドさせることによって、使用者が便座に着座した状態のままで臀部を清拭できる便座装置がある（例えば、特許文献２）。しかし、便座を前方にスライドさせたとしても、特許文献１と同様に、便器の大きさによっては、清拭する手の挿入空間を十分に確保できないおそれがある。清拭する手を挿入しづらく、手を汚すおそれがあるため、衛生的ではないという問題がある。
【特許文献１】特開２００１−２９９６４３号公報
【特許文献２】特開２００６−２７１９３４号公報
【発明の開示】
【発明が解決しようとする課題】
【０００６】
本発明は、かかる課題の認識に基づいてなされたものであり、便座に着座した状態のままで臀部を楽に清拭できる、もしくは臀部を衛生的に清拭できる便座装置を提供する。
【課題を解決するための手段】
【０００７】
本発明の一態様によれば、便器の上部に設けられる便座と、前記便座を移動させる駆動手段と、を備え、前記便座は、後方部から側方部に掛かる少なくともいずれかの位置において切り欠き部を有し、前記駆動手段は、前記便座を昇降移動させることを特徴とする便座装置が提供される。
【０００８】
また、本発明の他の一態様によれば、前記便器と、前記便器に付設された上記の便座装置と、を備えたことを特徴とするトイレ装置が提供される。
【発明の効果】
【０００９】
本発明によれば、便座に着座した状態のままで臀部を楽に清拭できる、もしくは臀部を衛生的に清拭できる便座装置が提供される。
【発明を実施するための最良の形態】
【００１０】
以下、本発明の実施の形態について図面を参照しつつ説明する。なお、各図面中、同様の構成要素には同一の符号を付して詳細な説明は適宜省略する。  
図１は、本発明の実施の形態にかかる便座装置が設置されたトイレ室を例示する模式図である。  
図１に表したトイレ室は、便座装置１０と、便器１００と、ロータンク１０４と、を備えている。便座装置１０は、便座１２と、ベース部１４と、駆動手段１６（図６および７参照）と、を有している。但し、図１〜５および図８〜１４に表した便座装置においては説明の便器上、駆動手段１６を省略している。ベース部１４は便器１００の上部に設置されており、便座１２はベース部１４の上部に設置されている。便座１２は、後に詳述するように、後方部に切り欠き部１２ａを有している。
【００１１】
ロータンク１０４は、壁面２０２に近接して設けられている。但し、図１に表したトイレ室においては、洗浄機構がいわゆる「ロータンク式」の大便器を例示しているが、この洗浄機構はロータンクを用いない、いわゆる「水道直圧式」であってもよい。その場合には、便座装置１０および便器１００が、壁面２０２に近接して設けられる。
【００１２】
また、便座１２に座った使用者の「おしり」などに向けて水を噴射し、「おしり」の洗浄を可能とした温水洗浄便座装置１０２（臀部洗浄装置）が、便座１２またはベース部１４に付設されていてもよい。便座１２は、後に詳述するように、ベース部１４および便器１００に対して移動することができるが、便座１２の移動時に温水洗浄便座装置１０２が誤作動を起こすと、使用者の服に水がかかるなどするため、好ましくない。そこで、このように温水洗浄便座装置１０２がベース部１４に付設されている場合には、温水洗浄便座装置１０２と便座１２とが分離されるため、着座センサが人体の非着座状態を検知することになり、温水洗浄便座装置１０２の誤作動防止を期待することができる。なお、温水洗浄便座装置１０２は、便器１００の後端部に付設されていてもよい。
【００１３】
壁面２００には、手すり３００が設置されていてもよい。但し、手すり３００は、壁面２００に対向する図示しない壁面に設置されていてもよいし、便座装置１０の前方にある図示しない壁面に設置されていてもよい。壁面２００には、さらにペーパーホルダ３１０が設置され、そのペーパーホルダ３１０にトイレットペーパー３１２が設置されていてもよい。
【００１４】
車いすを使用している体の不自由な障害者などは、便座１２から車いすに移乗するとき、または車いすから便座１２に移乗するとき、例えば手すり３００などを利用する。一方、足腰の弱った高齢者なども同様に、便座１２から起立するとき、または便座１２に着座するとき、例えば手すり３００などを利用する。
【００１５】
図２は、本発明の第１の実施の形態にかかる便座装置を斜めから眺めた模式斜視図である。  
また、図３は、本実施形態にかかる便座装置を上方から眺めた模式上面図である。  
また、図４は、本実施形態にかかる便座装置を右側方から眺めた模式側面図である。  
なお、図２〜４に表した便座装置は、便座１２が清拭位置にある状態を表している。
【００１６】
ベース部１４は、図示しない固定手段によって便器１００に固定されている。図示しない固定手段は、いわゆる「ボルト」などと呼ばれるものであってもよい。そのため、ベース部１４は、便器１００に対して移動することはできない。便座１２は、便座１２の開口部１２ｃの左端部と右端部との略中心部、且つ後方部において、前後方向に沿って切り欠き部１２ａを有している。
【００１７】
本実施形態にかかる便座装置１０の便座１２は、後に詳述する駆動手段１６によって、昇降することができる。さらに、便座１２の前方よりも後方が高い状態、すなわち前傾状態となるように、傾動４００（以下、「前方傾動」という。）の動作を行うことができる。このとき、図３および４に表した状態のように、便座１２を上方から眺めたとき、切り欠き部１２ａと、ベース部１４と、は重複していない。すなわち、便座１２を上方から眺めたとき、切り欠き部１２ａは、ベース部１４の開口部１４ｃに包含されている。一方、前方傾動ではなく、用便位置にある便座の状態、すなわち略水平状態を保ちつつ上昇することもできる。このようにすれば、便座１２と、便器１００およびベース部１４と、の間に空間が生ずる。
【００１８】
これに対して、便座が用便位置（最下降位置）にあるときには、図１に表した状態のように、切り欠き部１２ａの下方部には、ベース部１４がある。すなわち、便座１２を上方から眺めたとき、切り欠き部１２ａと、ベース部１４と、は重複している。この状態においては、使用者および介護者が切り欠き部１２ａから手を挿入して清拭動作を行うことは、容易ではない。これは、切り欠き部１２ａの下方にベース部１４があるためである。
【００１９】
図５は、本実施形態にかかる便座装置が設置されたトイレ室を右側方から眺めた模式側面図である。  
図５に表した便座装置は、便座１２が清拭位置にある状態を表している。便座１２は、前述したように、前方傾動４００を行うことができるため、便座１２の後方部は、ベース部１４および便器１００に対して上方に上昇している。そのため、便座１２および切り欠き部１２ａと、ベース部１４およびロータンク１０４と、の間には、空間１０６が生ずる。
【００２０】
便座１２の前方傾動４００によって空間１０６が生じ、さらに便座１２を上方から眺めたときに、切り欠き部１２ａと、ベース部１４と、は重複しなくなるため、使用者４０および介護者は、使用者４０が便座１２に着座した状態のままで、切り欠き部１２ａから手や携帯用洗浄器を挿入しやすくなり、楽に清拭動作を行うことができる。また、切り欠き部１２ａの下方に、ベース部１４および便器１００が存在しないため、手が汚れることは少なく、衛生的に清拭動作を行うことができる。
【００２１】
また、便座１２が前方傾動４００を行うと、使用者４０は便座１２の動作に伴って前傾姿勢となる。このとき、使用者４０の後方部と、ロータンク１０４の前方面と、の間において、空間１０８が生ずる。したがって、例えば、介護者が使用者４０の背後から介護を行う必要がある場合には、使用者４０とロータンク１０４との間の空間１０８に介護者が入り込むことで、介護を楽に行うことができる。
【００２２】
これに対して、便座１２が前方傾動４００の動作を行わない場合には、使用者４０とロータンク１０４との間の空間１０８は非常に狭く、使用者４０の背後から介護を行うことは容易ではない。また、洗浄機構が、いわゆる「水道直圧式」の場合には、便座装置１０および便器１００が壁面２０２に近接するため、使用者の背後から介護を行うことは、より容易ではなくなる。
【００２３】
さらに、使用者４０自身が清拭動作を行う場合、および介護者が清拭動作を行う場合、切り欠き部１２ａから手を挿入することによって、使用者４０の臀部を楽に清拭できるため、使用者４０の身体機能が低下しても本実施形態の便座装置１０を使用し続けることができる。また、使用者４０は便座１２の動作に伴って前傾姿勢となるため、便座１２から車いすへの移乗動作または起立動作、および便座１２への移乗動作を楽に行うことができる。
【００２４】
図６は、便座の駆動手段を例示する模式図である。  
また、図７は、便座の駆動手段を上方から眺めた模式上面図である。  
なお、図６は、便座１２が清拭位置にある状態を表しており、図７は、便座１２が用便位置にある状態を表している。
【００２５】
駆動手段１６は、便座１２の左右側方および後方に設けられた支持枠５０４と、便座１２を移動させるための伸縮駆動体５０５と、を備えている。支持枠５０４は、便座１２を昇降可能に支持する左右一対の不等辺四節リンク５０３を有している。また、支持枠５０４は、左右一対の側枠部５１０と、側枠部５１０の上方部を連結する連結部５１２と、をさらに有する。側枠部５１０は、高さ調整自在の脚部５１１を介して床面２０４の上に固定または載置される水平側枠５１０ａと、水平側枠５１０ａの後方に連設される垂直側枠５１０ｂと、伸縮駆動体５０５を取り付けるための取付支持部５１６と、を有する。
【００２６】
不等辺四節リンク５０３は、上部リンク５１３と、下部リンク５１４と、を有する。上部リンク５１３は、後端部において、軸５３１を介して回動自在に垂直側枠５１０ｂに軸支されており、前端部において、軸５３３を介して回動自在に前部リンク５１５に軸支されている。また、上部リンク５１３と同様にして、下部リンク５１４は、後端部において、軸５３２を介して回動自在に垂直側枠５１０ｂに軸支されており、前端部において、軸５３４を介して回動自在に前部リンク５１５に軸支されている。また、前部リンク５１５は、軸５３５を介して回動自在に便座１２の左右側方に軸支されている。
【００２７】
図６に表した駆動手段１６のように、駆動手段１６を側方から眺めた場合において、軸５３１と、軸５３２と、軸５３３と、軸５３４と、の軸中心から形成される四角形の形状は、平行四辺形以外の形状（例えば、台形など）となる。また、軸５３１に沿って連結補強材５０６が設けられており、連結補強材５０６は、左右の不等辺四節リンク５０３の動作を同期（同調）させる機能を有している。
【００２８】
伸縮駆動体５０５は、ロッド部５０５ａと、本体部５０５ｂと、を有し、ロッド部５０５ａは、例えば、スクリューシャフトや流体圧などによって、本体部５０５ｂに対して伸縮自在となっている。伸縮駆動体５０５は、支持枠５０４の一方の不等辺四節リンク５０３の側外方に設けられている。ロッド部５０５ａの一端は、軸５２３を介して回動自在に、便座１２が有する取付部５２２に軸支されている。また、本体部５０５ｂは、一端に長孔付き取付部５０９を有し、長孔付き取付部５０９の長孔５０９ａと、側枠部５１０の取付支持部５１６に設けられた突起部５１６ａと、はスライド自在に嵌合されている。
【００２９】
伸縮駆動体５０５は、図示しない操作スイッチによって、伸縮自在となるように制御される。伸縮駆動体５０５は、伸長することによって便座１２を清拭位置まで移動させることができ、萎縮することによって便座１２を用便位置まで移動させることができる。なお、伸縮駆動体５０５に図示しないリミットスイッチを設けて、伸長状態および萎縮状態において自動的に伸縮駆動体５０５の動作を停止させてもよい。このようにすれば、使用時の安全性がより高くなる。
【００３０】
また、本体部５０５ｂの後端部と、側枠部５１０と、を連結するように弾性体５４０が設けられている。弾性体５４０は、伸縮駆動体５０５の伸縮向きとは反対向きに伸縮駆動体５０５を付勢している。したがって、例えば、便座１２とベース部１４との間に、使用者の手などが挟まった場合には、弾性体５４０の付勢力に勝って、伸縮駆動体５０５が伸縮向きに逃げることができる。これにより、使用時の安全性がより高くなる。
【００３１】
以上説明したように、本実施形態によれば、便座１２の前方傾動４００によって空間１０６が生じ、さらに便座１２を上方から眺めたとき、切り欠き部１２ａと、ベース部１４と、は重複しなくなるため、使用者４０および介護者は、使用者４０が便座１２に着座した状態のままで、切り欠き部１２ａから手や携帯用洗浄器を挿入しやすくなり、楽に清拭動作を行うことができる。また、切り欠き部１２ａの下方に、ベース部１４および便器１００が存在しないため、手が汚れることは少なく、衛生的に清拭動作を行うことができる。
【００３２】
また、便座１２が前方傾動４００を行うことによって、使用者４０の後方部と、ロータンク１０４の前方面と、の間において、空間１０８が生ずるため、介護者が使用者４０の背後から介護を行う必要がある場合には、使用者４０とロータンク１０４との間の空間１０８に介護者が入り込むことで、介護を楽に行うことができる。さらに、使用者および介護者は、楽に清拭動作を行うことができるため、使用者４０の身体機能が低下しても本実施形態の便座装置１０を使用し続けることができる。また、使用者４０は便座１２の動作に伴って前傾姿勢となるため、便座１２から車いすへの移乗動作または起立動作、および便座１２への移乗動作を楽に行うことができる。
【００３３】
図８は、本発明の第２の実施の形態にかかる便座装置を斜めから眺めた模式斜視図である。  
また、図９は、本実施形態にかかる便座装置を上方から眺めた模式上面図である。  
また、図１０は、本実施形態にかかる便座装置を右側方から眺めた模式側面図である。  なお、図８〜１０に表した便座装置は、便座１２が清拭位置にある状態を表している。
【００３４】
本実施形態にかかる便座装置１０の便座１２は、便座１２の開口部１２ｃの左端部と右端部との略中心部より右側方寄り、且つ後方部において、前後方向および左右方向に沿って切り欠き部１２ａを有している。この切り欠き部１２ａは、便座１２の開口部１２ｃの左端部と右端部との略中心部より左側方寄り、且つ後方部に設けられていてもよい。すなわち、便座１２の後方部、且つ開口部１２ｃの左端部と右端部との略中心部から偏心した位置に設けられている。なお、ベース部１４の構造については、図２〜４に表したベース部１４と同様であるため、その説明は省略する。
【００３５】
本実施形態にかかる便座装置１０は、図２〜４を参照しつつ説明した実施形態にかかる便座装置１０と同様に、駆動手段１６によって昇降移動および前方傾動４００を行うことができる。便座１２が清拭位置にあるときは、図９に表した状態のように、便座１２の右斜め後方部において、空間１１０が生ずる。使用者および介護者は、この空間１１０から手を挿入することで楽に清拭動作を行うことができる。また、右斜め後方から手を挿入することができるため、右利きの介護者は、便器１００の右側方に立つことで、より楽に清拭動作を行うことができる。また、使用者自身が清拭動作を行う場合にも、左利きの使用者は、右斜め後方に設けられた切り欠き部１２ａから手を挿入することによって、より楽に清拭動作を行うことができる。
【００３６】
なお、切り欠き部１２ａが、便座１２の開口部１２ｃの左端部と右端部との略中心部より左側方寄り、且つ後方部に設けられている場合には、左利きの介護者は、便器１００の左側方に立つことで、より楽に清拭動作を行うことができる。また、使用者自身が清拭動作を行う場合にも、右利きの使用者は、左斜め後方に設けられた切り欠き部１２ａから手を挿入することによって、より楽に清拭動作を行うことができる。
【００３７】
さらに、図１０に表したように、便座１２が前方傾動４００を行うことによって、便座１２とベース部１４との間に空間１０６が生ずる。したがって、切り欠き部１２ａの下方に、ベース部１４および便器１００が存在しないため、手が汚れることは少なく、衛生的に清拭動作を行うことができる。なお、その他の効果についても、図２〜７を参照しつつ説明した実施形態と同様の効果を得ることができる。
【００３８】
図１１は、本発明の第３の実施の形態にかかる便座装置を斜めから眺めた模式斜視図である。  
また、図１２は、本実施形態にかかる便座装置を上方から眺めた模式上面図である。  
また、図１３は、本実施形態にかかる便座装置を右側方から眺めた模式側面図である。  なお、図１１〜１３に表した便座装置は、便座１２が清拭位置にある状態を表している。
【００３９】
本実施形態にかかる便座装置１０の便座１２は、便座１２の右側方部において、左右方向に沿って切り欠き部１２ａを有している。この切り欠き部１２ａは、便座１２の左側方部において、左右方向に沿って切り欠き部１２ａを有していてもよい。なお、ベース部１４の構造については、図２〜４に表したベース部１４と同様であるため、その説明は省略する。
【００４０】
本実施形態にかかる便座装置１０は、図２〜４を参照しつつ説明した実施形態にかかる便座装置１０と同様に、駆動手段１６によって昇降移動および前方傾動４００を行うことができる。また、切り欠き部１２ａが便座１２の右側方部に設けられているため、便器１００の右側方に立っている介護者とっては、切り欠き部１２ａを略正面に眺めることができる。したがって、右利きの介護者はトイレ室の後方の奥に入らずに、便器１００の右側方に立つことで、より楽に清拭動作を行うことができる。また、使用者自身が清拭動作を行う場合にも、左利きの使用者は、右側方部に設けられた切り欠き部１２ａから手を挿入することによって、より楽に清拭動作を行うことができる。
【００４１】
なお、切り欠き部１２ａが、便座１２の左側方部に設けられている場合には、便器１００の左側方に立っている介護者とっては、切り欠き部１２ａを略正面に眺めることができる。したがって、左利きの介護者はトイレ室の後方の奥に入らずに、便器１００の左側方に立つことで、より楽に清拭動作を行うことができる。また、使用者自身が清拭動作を行う場合にも、右利きの使用者は、左側方部に設けられた切り欠き部１２ａから手を挿入することによって、より楽に清拭動作を行うことができる。
【００４２】
さらに、図１３に表したように、便座１２が前方傾動４００を行うことによって、便座１２とベース部１４との間に空間１０６が生ずる。したがって、切り欠き部１２ａから手を挿入する際に、手がベース部１４および便器１００に触れることは少なく、衛生的に清拭動作を行うことができる。なお、その他の効果についても、図２〜７を参照しつつ説明した実施形態と同様の効果を得ることができる。
【００４３】
以下、本実施形態の変形例について図面を参照しつつ説明する。  
図１４は、本実施形態の変形例にかかる便座装置を斜めから眺めた模式斜視図である。  ベース部１４は、切り欠き部１２ａと略同じ形状の突起部１４ａを上部に有している。突起部１４ａは、便座１２が用便位置（最下降位置）にあるときに切り欠き部１２ａを充填するように切り欠き部１２ａの位置に設けられている。その他の構造は図２〜４に表したベース部１４と同様である。また、便座１２の構造および動作については、図１１〜１３に表した便座１２と同様であるため、その説明は省略する。
【００４４】
図１１〜１３に表した便座装置１０においては、切り欠き部１２ａが便座１２の右側方部に設けられているため、使用者が便座１２に着座しているときには、使用者の臀部もしくは太股の一部が、切り欠き部１２ａから下方に下がるおそれがある。使用者の臀部もしくは太股の一部が切り欠き部１２ａから下方に下がると、使用者は不快感を感じるだけではなく、使用者の着座状態が不安定になるおそれがある。
【００４５】
これに対して、本変形例にかかる便座装置１０においては、切り欠き部１２ａと突起部１４ａとが、略同じ形状をなして突起部１４ａが切り欠き部１２ａを充填するため、便座１２が用便位置にあるときには、便座１２の上面（座面）と、突起部１４ａの上面（座面）と、が略同一面となる。これによって、使用者が便座１２に着座しているときに、使用者の臀部もしくは太股の一部が、切り欠き部１２ａから下方に下がることはない。したがって、使用者は不快感を感じることは少なく、さらに使用者の着座状態はより安定する。また、突起部１４ａによって切り欠き部１２ａの空間が塞がれるため、排泄時の汚水や汚物の跳ね返りなどを防止することもできる。
【００４６】
なお、図１４に表したような突起部１４ａは、図２および８に表した便座装置１０において、便座１２が用便位置にあるときの切り欠き部１２ａの略位置に設けられていてもよい。このようにすれば、図１４に表した便座装置１０と同様に、使用者の臀部が切り欠き部１２ａに掛かる場合であっても、臀部の一部が下方に下がることはない。
【００４７】
また、便座１２が清拭位置にあるときには、切り欠き部１２ａと突起部１４ａとの間に空間が生じ、さらに便座１２とベース部１４との間に空間１０６（図１３参照）が生ずるため、介護者および使用者は、楽に清拭動作を行うことができる。なお、その他の効果についても、図２〜７を参照しつつ説明した実施形態と同様の効果を得ることができる。
【００４８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便座１２およびベース部１４などが備える各要素の形状、寸法、材質、配置などや便座装置１０および駆動手段１６の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００４９】
【図１】本発明の実施の形態にかかる便座装置が設置されたトイレ室を例示する模式図である。
【図２】本発明の第１の実施の形態にかかる便座装置を斜めから眺めた模式斜視図である。
【図３】本実施形態にかかる便座装置を上方から眺めた模式上面図である。
【図４】本実施形態にかかる便座装置を右側方から眺めた模式側面図である。
【図５】本実施形態にかかる便座装置が設置されたトイレ室を右側方から眺めた模式側面図である。
【図６】便座の駆動手段を例示する模式図である。
【図７】便座の駆動手段を上方から眺めた模式上面図である。
【図８】本発明の第２の実施の形態にかかる便座装置を斜めから眺めた模式斜視図である。
【図９】本実施形態にかかる便座装置を上方から眺めた模式上面図である。
【図１０】本実施形態にかかる便座装置を右側方から眺めた模式側面図である。
【図１１】本発明の第３の実施の形態にかかる便座装置を斜めから眺めた模式斜視図である。
【図１２】本実施形態にかかる便座装置を上方から眺めた模式上面図である。
【図１３】本実施形態にかかる便座装置を右側方から眺めた模式側面図である。
【図１４】本実施形態の変形例にかかる便座装置を斜めから眺めた模式斜視図である。
【符号の説明】
【００５０】
１０ 便座装置、  １２ 便座、  １２ａ 切り欠き部、  １２ｃ 開口部、  １４ ベース部、  １４ａ 突起部、  １４ｃ 開口部、  １６ 駆動手段、  ４０ 使用者、  １００ 便器、  １０２ 温水洗浄便座装置（臀部洗浄装置）、  １０４ ロータンク、  １０６ 空間、  １０８、１１０ 空間、  ２００、２０２ 壁面、  ２０４ 床面、  ３００ 手すり、  ３１０ ペーパーホルダ、  ３１２ トイレットペーパー、  ４００ 前方傾動、  ５０３ 不等辺四節リンク、  ５０４ 支持枠、  ５０５ 伸縮駆動体、  ５０５ａ ロッド部、  ５０５ｂ 本体部、  ５０６ 連結補強材、  ５０９ 取付部、  ５０９ａ 長孔、  ５１０ 側枠部、  ５１０ａ 水平側枠、  ５１０ｂ 垂直側枠、  ５１１ 脚部、  ５１２ 連結部、  ５１３ 上部リンク、  ５１４ 下部リンク、  ５１５ 前部リンク、  ５１６ 取付支持部、  ５１６ａ 突起部、  ５２２ 取付部、  ５２３、５３１、５３２、５３３ 、５３４、５３５ 軸、  ５４０ 弾性体
【図１】
2009297446.tif 000003
【図２】
2009297446.tif 000004
【図３】
2009297446.tif 000005
【図４】
2009297446.tif 000006
【図５】
2009297446.tif 000007
【図６】
2009297446.tif 000008
【図７】
2009297446.tif 000009
【図８】
2009297446.tif 000010
【図９】
2009297446.tif 000011
【図１０】
2009297446.tif 000012
【図１１】
2009297446.tif 000013
【図１２】
2009297446.tif 000014
【図１３】
2009297446.tif 000015
【図１４】
2009297446.tif 000016